(57)【要約】【課題】液晶プロジェクタの照明光学系において、光源側のフライアイレンズのレンズセルの特定の側に面ダレが存在する場合に、照明エリアの単位面積当たりの照射光量を減少させることなく、照明エリアの特定の側に照射される光量が減少する事態を解消する。【解決手段】照明エリア２１側のフライアイレンズ４のレンズセルのうち、縦方向，横方向のうちの一方方向の片側に面ダレの存在する光源側のフライアイレンズ３のレンズセル３ａ（１）に対応するレンズセル４ａ（１）の光軸ａｘを、この縦方向，横方向のうちこの一方方向とは直交する方向上で、この片側とは反対側寄りに偏心させる。【選択図】図５
2007121447.tif 000002
【特許請求の範囲】
【請求項１】
光源からの出射光を複数の光束に分割するためのレンズセルを配列した第１のフライアイレンズと、
前記第１のフライアイレンズの前記レンズセルに一対一に対応するレンズセルを配列した第２のフライアイレンズと
が設けられた照明光学装置において、
前記第１のフライアイレンズの少なくとも一部の前記レンズセルは、レンズ面の縦方向，横方向のうちの一方方向の片側に面ダレが存在しており、
前記第２のフライアイレンズの前記レンズセルのうち、前記面ダレの存在する前記第１のフライアイレンズの前記レンズセルに対応するレンズセルの光軸が、前記縦方向，横方向のうち前記一方方向とは直交する方向上で、前記片側とは反対側寄りに偏心している
ことを特徴とする照明光学装置。
【請求項２】
請求項１に記載の照明光学装置において、
前記光源からの出射光を特定の直線偏光に変換する偏光変換素子
がさらに設けられており、
前記第１のフライアイレンズの少なくとも一部の前記レンズセルが、該レンズセルの光軸を、該レンズセルからの出射光の方向が前記偏光変換素子の開口部に向くように偏心させたことにより、レンズ面の縦方向，横方向のうちの一方方向の片側に面ダレを起こしている
ことを特徴とする照明光学装置。
【請求項３】
光源からの出射光を液晶パネルに照射する照明光学系に、
前記光源からの出射光を複数の光束に分割するためのレンズセルを配列した第１のフライアイレンズと、
前記第１のフライアイレンズの前記レンズセルに一対一に対応するレンズセルを配列した第２のフライアイレンズと
が設けられた液晶プロジェクタにおいて、
前記第１のフライアイレンズの少なくとも一部の前記レンズセルは、レンズ面の縦方向，横方向のうちの一方方向の片側に面ダレが存在しており、
前記第２のフライアイレンズの前記レンズセルのうち、前記面ダレの存在する前記第１のフライアイレンズの前記レンズセルに対応するレンズセルの光軸が、前記縦方向，横方向のうち前記一方方向とは直交する方向上で、前記片側とは反対側寄りに偏心している
ことを特徴とする液晶プロジェクタ。
【請求項４】
請求項３に記載の液晶プロジェクタにおいて、
前記照明光学系に、前記光源からの出射光を特定の直線偏光に変換する偏光変換素子
がさらに設けられており、
前記第１のフライアイレンズの少なくとも一部の前記レンズセルが、該レンズセルの光軸を、該レンズセルからの出射光の方向が前記偏光変換素子の開口部に向くように偏心させたことにより、レンズ面の縦方向，横方向のうちの一方方向の片側に面ダレを起こしている
ことを特徴とする液晶プロジェクタ。
【発明の詳細な説明】
【技術分野】
【０００１】
本発明は、フライアイレンズが設けられた照明光学装置、及び、フライアイレンズが設けられた照明光学系を有する液晶プロジェクタに関する。
【背景技術】
【０００２】
大画面の画像表示装置の一種として、液晶プロジェクタが普及している。液晶プロジェクタは、光源からの出射光を液晶パネルに照射し、映像信号に応じて液晶パネルによって変調した光をスクリーンに拡大して投射（半透明なスクリーンに背面から投射したり、非透明なスクリーンに前面から投射）するものである。
【０００３】
液晶プロジェクタの照明光学系（光源からの出射光を液晶パネルに照射する光学系）には、通常、液晶パネルに均一に光を照射する目的で、微小なレンズセルを配列した一対のフライアイレンズが設けられている。
【０００４】
図７は、そうした照明光学系を例示する図である。光源（放電ランプ）５１からの出射光が、リフレクタ５２で反射・集束されて、フライアイレンズ５３，フライアイレンズ５４に順に入射する。
【０００５】
フライアイレンズ５３の各レンズセル５３ａのレンズ面の形状は、レンズセル５３からの出射光が液晶パネル５６の照明エリア（有効画素領域に対して或る程度のマージンを持たせたエリア）に集光されるようにするために、この照明エリアと相似形の長方形になっている。
【０００６】
フライアイレンズ５４は、フライアイレンズ５３のレンズセル５３ａの略焦点位置に配置されている。フライアイレンズ５４の各レンズセル５４ａは、フライアイレンズ５３のレンズセル５３ａと一対一に対応しており、対応するレンズセル５３ａからの出射光をできるだけ多く入射できるような形状にされている。
【０００７】
光源５１からの出射光は、このフライアイレンズ５３及び５４により、複数の光束（光源５１の中心部分からの光束や、光源５１の周辺部分からの光束）に分割され、それぞれの光束がコンデンサレンズ５５を経て液晶パネル５６に重畳して照射される。これにより、液晶パネル５６の照明エリアに均一に光が照射される。
【０００８】
また、液晶プロジェクタの照明光学系には、光源からの光の利用効率を高める目的で、フライアイレンズとコンデンサレンズとの間（図７ではフライアイレンズ５４とコンデンサレンズ５５との間）の位置に、偏光変換素子が設けられることも多い。
【０００９】
図８は、この偏光変換素子の構成例を示す図である。偏光変換素子６１は、複数のプリズム６１ａを貼り合せたものであり、貼合せ面には、フライアイレンズ（図示略）からの出射光のうちＰ偏光を透過させてＳ偏光を反射する偏光分離膜６１ｂと、偏光分離膜６１ｂで反射されたＳ偏光を反射して偏光変換素子６１から出射させる反射膜６１ｃとが交互に形成されている。
【００１０】
偏光変換素子６１の出射側（図面の右側）の面には、偏光分離膜６１ｂを透過したＰ偏光をＳ偏光に変換して出射させる１／２波長板６１ｄが貼り付けられている。また、偏光変換素子６１の入射側（図面の左側）の面には、フライアイレンズからの出射光が直接反射膜６１ｃに入射することを防止するための遮蔽膜６１ｅが貼り付けられている。
【００１１】
こうした偏光変換素子を設けることにより、光源から出射した非偏光を、液晶パネルの前面の偏光板を通過する直線偏光に変換することができるので、光源からの光の利用効率を高めることが可能である。
【００１２】
しかし、偏光変換素子を設けた場合に、フライアイレンズから偏光変換素子の遮蔽膜（図８では遮蔽膜６１ｅ）のほうに入射する光量が多くなってしまうと、液晶パネルに照射される光量がその分減少するので、光の利用効率を十分に高めることができなくなってしまう。
【００１３】
そこで、本出願人は、光源寄りのフライアイレンズのレンズセル（図７ではフライアイレンズ５３のレンズセル５３ａ）の光軸（頂点の位置）を、そのレンズセルからの出射光の方向が偏光変換素子の開口部（入射側の面のうち遮蔽膜が貼り付けられていない部分）に向くように、レンズ面の中心から偏心させた照明光学系を提案している（特許文献１参照）。
【００１４】
【特許文献１】特開２００３−７５９１６号公報（段落番号０１２４〜０１３２、図９）
【発明の開示】
【発明が解決しようとする課題】
【００１５】
ところが、このように偏光変換素子の開口部の位置に合わせてフライアイレンズのレンズセルを偏心させるためには、隣合うレンズセル同士で偏心量を異ならせなければならないことが少なくない。そうした場合には、フライアイレンズの製造時（金型での成型時）に、レンズセルの周縁部分の断面形状が本来のレンズ形状とは異なる曲面状になってしまう現象（いわゆる「面ダレ」）が、レンズ面の特定の側で、その反対側よりも顕著に起きることがある。
【００１６】
図９は、こうしたレンズセルの偏心の様子及びそれによる面ダレの箇所を例示する図であり、図７と共通する部分には同一符号を付している。図９Ａに示すように、光源側のフライアイレンズ５３において縦方向（図面の上下方向）に配列されたレンズセル５３ａのうち、レンズセル５３ａ（１）の光軸ａｘはレンズ面の中心ｃｔから横方向（図面の左右方向）の左側に偏心しているが、その上側のレンズセル５３ａ（２）の光軸ａｘはレンズ面の中心ｃｔから横方向の右側に偏心している。
【００１７】
図９Ｂは、このレンズセル５３ａ（１）及びレンズセル５３ａ（２）の側面を、レンズセル５３ａ（１）の手前側からみた図である。レンズセル５３ａ（１）の光軸の位置とレンズセル５３ａ（２）の光軸の位置とが異なることから、これらのレンズセルは横方向上での厚みの分布が異なっている。そのため、フライアイレンズ５３の製造時には、レンズセル５３ａ（１）とレンズセル５３ａ（２）との境界の全体（斜線を付した部分）に亘って面ダレが起きることが多い。この面ダレは、レンズセル５３ａ（１）からみると、レンズ面の縦方向の上側（レンズセル５３ａ（２）と接している側）に存在する。
【００１８】
このように光源側のフライアイレンズのレンズセルのレンズ面の特定の側に面ダレが存在すると、そのレンズセルを介して液晶パネルに照射される光は、照明エリアの特定の側で光量が減少してしまう。
【００１９】
図１０及び図１１は、図９に示したレンズセル５３ａ（１）の面ダレを例にとって、照明エリアへの照射光量に及ぼす影響を示す図であり、図７と共通する部分には同一符号を付している。図１０に示すように、レンズセル５３ａ（１）のレンズ面の縦方向（図面の上下方向）の上側（斜線を付した部分）に横方向（図面に垂直な方向）の面ダレが存在するので、光源（図示略）からレンズセル５３ａ（１）に入射した光束Ｌのうちのこの面ダレの部分への入射光は、不規則な方向に反射または屈折してしまい、本来到達すべき液晶パネル５６の照明エリア５７内の箇所（照明エリア５７の下側の部分）にほとんど到達しない。そのため、図１１に示すように、レンズセル５３ａ（１）を介して液晶パネル５６に照射される光は、照明エリア５７の下側の部分（斜線を付した部分）で光量が大きく減少してしまう。
【００２０】
この光量の減少部分が液晶パネル５６の有効画素領域にまで及ぶと、スクリーンにも暗い影が表示されるので、画質が低下してしまう。
【００２１】
ここで、マージンを大きくとることによって照明エリア５７を広げれば、こうした面ダレを原因とする影の表示を防止することは可能である。しかし、そうした場合には、照明エリアの単位面積当たりの照射光量が減少するので、スクリーンに表示される画像の明るさが低下するという別の問題が生じる。
【００２２】
また、光量の減少部分が有効画素領域にまで及ばない場合でも、特定の側の面ダレが顕著になると、照明エリアのこの特定の側のマージンが反対側よりも小さくなってしまうというアンバランスを生じる。このアンバランスは、照明エリアを上下左右に均等に広げたとしても解消されない。
【００２３】
本発明は、上述の点に鑑み、液晶プロジェクタの照明光学系のような、フライアイレンズが設けられた照明光学装置において、図９に例示したフライアイレンズ５３のように光源側のフライアイレンズのレンズセルのレンズ面の特定の側に面ダレが存在する場合に、照明エリアの単位面積当たりの照射光量を減少させることなく、照明エリアの特定の側に照射される光量が減少する事態を解消することを課題としてなされたものである。
【課題を解決するための手段】
【００２４】
この課題を解決するために、本発明に係る照明光学装置は、光源からの出射光を複数の光束に分割するためのレンズセルを配列した第１のフライアイレンズと、この第１のフライアイレンズのこのレンズセルに一対一に対応するレンズセルを配列した第２のフライアイレンズとが設けられた照明光学装置において、この第１のフライアイレンズの少なくとも一部のこのレンズセルは、レンズ面の縦方向，横方向のうちの一方方向の片側に面ダレが存在しており、この第２のフライアイレンズのこのレンズセルのうち、この面ダレの存在するこの第１のフライアイレンズのこのレンズセルに対応するレンズセルの光軸が、この縦方向，横方向のうちこの一方方向とは直交する方向上で、この片側とは反対側寄りに偏心していることを特徴とする。
【００２５】
この照明光学装置は、図９に例示したフライアイレンズ５３のレンズセル５３ａ（１）のように、光源側に位置する第１のフライアイレンズのレンズセルのレンズ面の特定の側（レンズ面の縦方向，横方向のうちの一方方向の片側）に面ダレが存在するものである。
【００２６】
そして、この照明光学装置では、照明エリア側に位置するフライアイレンズのレンズセルのうち、面ダレの存在する光源側のフライアイレンズのレンズセルに対応するレンズセルの光軸が、レンズ面の縦方向，横方向のうち前述の一方方向とは直交する方向上で、前述の片側とは反対側寄りに偏心している。
【００２７】
照明エリア側のフライアイレンズのレンズセルをこのように偏心させることにより、光源側のフライアイレンズのこの面ダレの存在するレンズセルから出射した光は、この面ダレにより光量が減少する部分を、図１０及び図１１に例示した照明エリア５７の下側のような照明エリアの特定の側よりも、照明エリアの外方向にそらすようにして、照明エリアに照射される。
【００２８】
これにより、照明エリアの単位面積当たりの照射光量を減少させることなく、照明エリアの特定の側に照射される光量が減少する事態を解消することができる。
【００２９】
次に、本発明に係る液晶プロジェクタは、光源からの出射光を液晶パネルに照射する照明光学系に、この光源からの出射光を複数の光束に分割するためのレンズセルを配列した第１のフライアイレンズと、この第１のフライアイレンズのこのレンズセルに一対一に対応するレンズセルを配列した第２のフライアイレンズとが設けられた液晶プロジェクタにおいて、この第１のフライアイレンズの少なくとも一部のこのレンズセルは、レンズ面の縦方向，横方向のうちの一方方向の片側に面ダレが存在しており、この第２のフライアイレンズのこのレンズセルのうち、この面ダレの存在するこの第１のフライアイレンズのこのレンズセルに対応するレンズセルの光軸が、この縦方向，横方向のうちこの一方方向とは直交する方向上で、この片側とは反対側寄りに偏心していることを特徴とする。
【００３０】
この液晶プロジェクタは、前述の本発明に係る照明光学装置を照明光学系として採用したものであり、液晶パネルの照明エリアの単位面積当たりの照射光量を減少させることなく、照明エリアの特定の側に照射される光量が減少する事態を解消することができる。したがって、表示される画像の明るさを低下させることなく、スクリーンに暗い影が表示される事態を解消することや、液晶パネルの照明エリアの縦方向または横方向の両側のマージンの大きさのバランスをとることができる。
【発明の効果】
【００３１】
本発明に係る照明光学装置によれば、フライアイレンズが設けられた照明光学装置において、光源側のフライアイレンズのレンズセルのレンズ面の特定の側に面ダレが存在する場合に、照明エリアの単位面積当たりの照射光量を減少させることなく、照明エリアの特定の側に照射される光量が減少する事態を解消することができるという効果が得られる。
【００３２】
また、本発明に係る液晶プロジェクタによれば、フライアイレンズが設けられた照明光学系を有する液晶プロジェクタにおいて、光源側のフライアイレンズのレンズセルのレンズ面の特定の側に面ダレが存在する場合に、スクリーンに表示される画像の明るさを低下させることなく、スクリーンに暗い影が表示される事態を解消することや、液晶パネルの照明エリアの縦方向または横方向の両側のマージンの大きさのバランスをとることができるという効果が得られる。
【発明を実施するための最良の形態】
【００３３】
以下、本発明を図面を用いて具体的に説明する。図１は、本発明を適用した液晶プロジェクタの光学系の全体構成を示す図である。光源（放電ランプ）１からの出射光が、リフレクタ２で反射・集束され、フライアイレンズ３，フライアイレンズ４, 偏光変換素子５，メインコンデンサレンズ６を順に経て、青色光反射用のダイクロイックミラー７に入射する。
【００３４】
ダイクロイックミラー７で反射された青色光は、全反射ミラー８, チャンネルコンデンサレンズ９（Ｂ）を経て、青色表示用の透過型の液晶パネル１０（Ｂ）の照明エリア（有効画素領域に対して或る程度のマージンを持たせたエリア）に照射される。
【００３５】
ダイクロイックミラー７を透過した光のうちの緑色光は、緑色光反射用のダイクロイックミラー１０で反射され、チャンネルコンデンサレンズ９（Ｇ）を経て、緑色表示用の透過型の液晶パネル１０（Ｇ）の照明エリアに照射される。
【００３６】
ダイクロイックミラー７を透過した光のうちの赤色光は、リレーレンズ１１, 全反射ミラー１２, リレーレンズ１３, 全反射ミラー１４, チャンネルコンデンサレンズ９（Ｒ）を順に経て、赤色表示用の透過型の液晶パネル１０（Ｒ）の照明エリアに照射される。
【００３７】
液晶パネル１０（Ｒ），１０（Ｇ），１０（Ｂ）の有効画素領域に照射された赤色光，緑色光，青色光は、それぞれＲ，Ｇ，Ｂの映像信号に応じて変調されて液晶パネル１０（Ｒ），１０（Ｇ），１０（Ｂ）を透過し、ダイクロイックプリズム１５で合成されて、投射レンズ１６に入射する。
【００３８】
図２は、図１の光学系における照明光学系の主要部を示す図であり、図１と共通する部分には同一符号を付すとともに、チャンネルコンデンサレンズ９（Ｒ），９（Ｇ），９（Ｂ）をチャンネルコンデンサレンズ９として示し、液晶パネル１０（Ｒ），１０（Ｇ），１０（Ｂ）を液晶パネル１０として示している。
【００３９】
偏光変換素子５は、図８に示した偏光変換素子６１と同一の構成のものであり、遮蔽膜（図８では遮蔽膜６１ｅ）と開口部（入射側の面のうち遮蔽膜が貼り付けられていない部分）とが、フライアイレンズ３，４のレンズセル３ａ，４ａのレンズ面の横方向（図面に垂直な方向）に交互に繰り返して存在している。
【００４０】
この照明光学系では、光源側に位置するフライアイレンズ３の中央付近の一部のレンズセルは、そのレンズセルからの出射光の方向を偏光変換素子５の開口部に向けるように、光軸がレンズ面の中心から横方向に偏心している。
【００４１】
図３は、このレンズセルの偏心の様子及びそれによる面ダレの箇所を示す図である。図３Ａに示すように、フライアイレンズ３の中央付近において縦方向（図面の上下方向）に配列されたレンズセル３ａのうち、レンズセル３ａ（１）の光軸ａｘはレンズ面の中心ｃｔから横方向の左側に偏心しているが、その上側のレンズセル３ａ（２）の光軸ａｘはレンズ面の中心ｃｔから横方向の右側に偏心している。
【００４２】
図３Ｂは、このレンズセル３ａ（１）及びレンズセル３ａ（２）の側面を、レンズセル３ａ（１）の手前側からみた図である。レンズセル３ａ（１）の光軸の位置とレンズセル３ａ（２）の光軸の位置とが異なることから、これらのレンズセルは横方向上での厚みの分布が異なっている。そのため、フライアイレンズ３の製造時（金型での成型時）には、レンズセル３ａ（１）とレンズセル３ａ（２）との境界の全体（斜線を付した部分）に亘って面ダレが起きている。この面ダレは、レンズセル３ａ（１）からみると、レンズ面の縦方向の上側（レンズセル３ａ（２）と接している側）に存在する。
【００４３】
そして、この照明光学装置では、照明エリア側（液晶パネル１０側）に位置するフライアイレンズ４のレンズセルのうち、面ダレの存在する光源側のフライアイレンズ３のレンズセル３ａに対応するレンズセルの光軸が、レンズ面の縦方向上で、当該レンズセル３ａにおいて面ダレが存在する側とは反対側寄りに偏心している。
【００４４】
図４は、フライアイレンズ４のレンズセルのうち、図３のフライアイレンズ３のレンズセル３ａ（１）に対応するレンズセルの偏心の状態を示す図である。フライアイレンズ４のレンズセルのうち、フライアイレンズ３のレンズセル３ａ（１）に対応するレンズセル４ａ（１）の光軸ａｘが、レンズ面の縦方向（図面の上下方向）上で、レンズ面の中心ｃｔから、レンズセル３ａ（１）において面ダレが存在する側である上側とは反対側である下側寄りに偏心している。
【００４５】
図５は、図３のフライアイレンズ３のレンズセル３ａ（１）と、図４のフライアイレンズ４のレンズセル４ａ（１）とを介して液晶パネル１０の照明エリアに照射される光を示す図であり、図２と共通する部分には同一符号を付している。フライアイレンズ３のレンズセル３ａ（１）のレンズ面の縦方向の上側（斜線を付した部分）に面ダレが存在するので、光源（図示略）からこの面ダレの部分に入射した光Ｌは、不規則な方向に反射または屈折してしまい、本来の方向への出射光量が減少する。
【００４６】
しかし、フライアイレンズ４のレンズセル４ａ（１）が縦方向（図面の上下方向）上で下側寄りに偏心しているので、フライアイレンズ３のレンズセル３ａ（１）からの出射光は、レンズセル４ａ（１）によって進行方向を縦方向下寄りに傾けられて、照明エリア２１に照射される。したがって、レンズセル３ａ（１）からの出射光は、面ダレにより光量が減少する部分を、液晶パネル１０の照明エリア２１の照明エリアの下側よりも、照明エリア２１の外方向にそらすようにして、照明エリア２１に照射される。
【００４７】
図６は、このようにしてレンズセル３ａ（１）及びレンズセル４ａ（１）を介して照明エリア２１に照射される光を、レンズセル４ａ（１）を偏心させなかったとした場合と対比して示す図である。レンズセル４ａ（１）を偏心させなかった場合には、図６Ａに例示するように、レンズセル３ａ（１）の面ダレによる光量の減少部分（斜線を付した部分）が照明エリア２１のうちの液晶パネル１０の有効画素領域２２にまで及ぶことにより、スクリーンにも暗い影が表示されて画質が低下してしたり、あるいは、光量の減少部分が有効画素領域２２にまで及ばない場合でも、図６Ｂに例示するように、照明エリア２１の縦方向の下側のマージンが上側よりも小さくなってしまうというアンバランスを生じる。
【００４８】
これに対し、レンズセル４ａ（１）を図４のように偏心させることにより、図６Ａに示した状態から、図６Ｃに例示するように、レンズセル３ａ（１）の面ダレによる光量の減少部分（斜線を付した部分）を、照明エリア２１内で有効画素領域２２よりも下側にそらすことができる（照明エリア２１内で有効画素領域２２よりも上側のグレーの部分は、レンズセル４ａ（１）の偏心により、レンズセル４ａ（１）からの出射光が届かなくなる部分である）。あるいはまた、図６Ｂに示した状態から、図６Ｄに例示するように、照明エリア２１の下側の、面ダレによる光量の減少部分の面積と、照明エリア２１の上側の、偏心により出射光が届かなくなる部分の面積とを、ほぼ一致させることもできる。
【００４９】
図３〜図５には一組のレンズセル３ａ（１）及びレンズセル４ａ（１）のみを示したが、この照明光学系では、フライアイレンズ３のレンズセル３ａのうち、偏光変換素子５の開口部の位置に合わせて偏心させたことによってレンズ面の縦方向の片側に面ダレが存在する全てのレンズセル３ａについて、そのレンズセル３ａに対応するフライアイレンズ４のレンズセル４ａを、レンズ面の縦方向上で、当該レンズセル３ａにおいて面ダレが存在する側とは反対側寄りに偏心させている。
【００５０】
これにより、スクリーンに表示される画像の明るさを低下させることなく、スクリーンに暗い影が表示される事態を解消することや、照明エリア２１の縦方向の両側のマージンの大きさのバランスをとることができる。
【００５１】
なお、以上の例では、光源側のフライアイレンズ３のレンズセル３ａをレンズ面の横方向に偏心させたことによってレンズセル３ａのレンズ面の縦方向の片側に面ダレが存在しており、照明エリア側のフライアイレンズ４のレンズセル４ａのうち、この面ダレの存在するレンズセル３ａに対応するレンズセルの光軸を、レンズ面の縦方向上で、当該レンズセル３ａにおいて面ダレが存在する側とは反対側寄りに偏心させている。しかし、光源側のフライアイレンズ３のレンズセル３ａを逆にレンズ面の縦方向に偏心させたことによってレンズセル３ａのレンズ面の横方向の片側に面ダレが存在している場合には、照明エリア側のフライアイレンズ４のレンズセル４ａのうち、この面ダレの存在するレンズセル３ａに対応するレンズセルの光軸を、レンズ面の横方向上で、当該レンズセル３ａにおいて面ダレが存在する側とは反対側寄りに偏心させるようにすればよい。
【００５２】
また、以上の例では、光源側のフライアイレンズ３のレンズセル３ａを偏心させたことによってレンズセル３ａのレンズ面の縦方向の片側に面ダレが存在している照明光学系を有する液晶プロジェクタに本発明を適用している。しかし、これに限らず、光源側のフライアイレンズのレンズセルが偏心していないがそのレンズセルのレンズ面の縦方向または横方向の特定の側に面ダレが存在している照明光学系を有する液晶プロジェクタにおいても、照明エリア側のフライアイレンズのレンズセルを、以上に説明したのと全く同様にして偏心させることにより、スクリーンに表示される画像の明るさを低下させることなく、スクリーンに暗い影が表示される事態を解消することや、照明エリアの縦方向や横方向の両側のマージンの大きさのバランスをとることができるようになる。
【００５３】
また、以上の例では透過型の液晶パネルを設けた液晶プロジェクタに本発明を適用しているが、これに限らず、本発明は、反射型の液晶パネルを設けた液晶プロジェクタや、液晶プロジェクタの照明光学系以外の用途の照明光学装置（例えば露光装置）にも適用することができる。
【図面の簡単な説明】
【００５４】
【図１】本発明を適用した液晶プロジェクタの光学系の全体構成を示す図である。
【図２】図１の光学系における照明光学系の主要部を示す図である。
【図３】図１，２の光源側のフライアイレンズのレンズセルの偏心による面ダレの箇所を示す図である。
【図４】図１，２の液晶パネル側のフライアイレンズのレンズセルの偏心の様子を示す図である。
【図５】図１，２の液晶パネルの照明エリアへの照射光を例示する図である。
【図６】図１，２の液晶パネルの照明エリアへの照射光を例示する図である。
【図７】フライアイレンズが設けられた照明光学系を例示する図である。
【図８】偏光変換素子の構成例を示す図である。
【図９】フライアイレンズのレンズセルの偏心による面ダレの箇所を例示する図である。
【図１０】図９の面ダレが照明エリアへの照射光量に及ぼす影響を示す図である。
【図１１】図９の面ダレが照明エリアへの照射光量に及ぼす影響を示す図である。
【符号の説明】
【００５５】
１  光源、  ２  リフレクタ、  ３  フライアイレンズ、  ３ａ，３ａ（１），３ａ（２）  レンズセル、  ４  フライアイレンズ、  ４ａ，４ａ（１）  レンズセル、  ５  偏光変換素子、  １０（Ｒ），１０（Ｇ），１０（Ｂ），１０  液晶パネル、  ２１  照明エリア
【図１】
2007121447.tif 000003
【図２】
2007121447.tif 000004
【図３】
2007121447.tif 000005
【図４】
2007121447.tif 000006
【図５】
2007121447.tif 000007
【図６】
2007121447.tif 000008
【図７】
2007121447.tif 000009
【図８】
2007121447.tif 000010
【図９】
2007121447.tif 000011
【図１０】
2007121447.tif 000012
【図１１】
2007121447.tif 000013